(57)【要約】　　　（修正有）【課題】暦は企業の広告宣伝配布物として普遍的な物であり、大量に配布供給されているが、形状・内容は類型化しており、多くは使われずして廃棄されている。　使用機能から実用性本位と装飾鑑賞用のものに大別されるが、いずれにおいても継続的に愛用・使用されているものを押し退け、代替させうる内容のものを企画創作することは至難であり、費用対効果的にも問題である。　従来形態のものと競合することなく、追加・並存使用されるようなカレンダーの考案が切望される。【解決手段】従来のカレンダーに無い新しい機能を付加すること。　今日の生活者は日々の経済活動において発生する領収書等の小紙片をきちんと収納・保管するための、適当な収納保管具を求める潜在的な要望が存在する。　カレンダーの年月日表示部を斯様な小紙片の収納を可能な袋状にし、この使用・置き場所，保持・収納，郵配送等を総合的に考慮し考案設計する。【選択図】図１
0003098859.tif 000002
【実用新案登録請求の範囲】
【請求項１】
（全体の構成）
袋形状の年月日表示物とこれを収納する箱形状物により構成され、寸法構造仕様は次項２に鑑み配慮されたカレンダー。
【請求項２】
（機能と目的）
袋形状の年月日表示部は常に使用者の身近に展示又は保持され、領収書類等（小紙片類）の収納保管袋として使用され、月毎の保管整理を容易にする。箱形状物は上記年月日表示物が散逸せぬよう収納保持し、これを掲示（展示）する際の冶具機能を有し、且つ配布郵送時の梱包材をも兼ねる。
【請求項３】
（構造仕様）
循環型経済社会・環境保全社会への対応の観点から基本素材は紙とし、他素材の混（併）用を避ける。各部の構造・生産工程は既存技術の最も合理的・経済的（一般的）な技法を採用し、過剰な冶具や装飾を排し、材料使用量を極力おさえるべく、用途機能に必要十分な構造強度と形状寸法に配慮設計されている。（内国通常郵便の第１種定型外料金規定の中位段階に収まる重量・寸法）
使用者の多様な使用場面を想定し、構造意匠設計を施し、この使用方法を提案し、例図として箱の外面に添えて示す。
【請求項４】
（袋形状の年月日表示部）
基本構造は通称角底袋と称する展伸時は直方体の形状をなす紙製の袋で、と矩形の底部を有し、側面部の筋罫線（まち）により薄く折畳んで保管収納される。素材は引裂強度に優れた包装用洋紙（クラフト紙系の洋紙）を使用。
１２袋で一組とし、各袋の前後表面部分に年月日を印刷加工し、上部開口部の端近くには閉折罫や綴込み穴を施してある。
【請求項５】
（収納用の箱形状物）
基本構造はサック形式と称される箱形の一方を開口部として形成される構造物で、内箱外箱で一対をなす。使用材料は包装用板紙（極薄段ボール）であり、印刷、打抜き、貼加工を施す。内箱は請求項４の袋を収納し、この展示・保持に適した窓抜きや支脚の加工が施され、外箱は化粧外装機能とともに輸送配達時の梱包材機能を有し、収納物で満たされた請求項４の袋の保管用等にも使用可能である。内外箱は上記の諸機能と利便性をたかめるべく９０度交差させて挿入出来るように寸法設計されている。
【考案の詳細な説明】
【０００１】
【考案の属する技術分野】
暦、カレンダーと称される製作物。
暦機能を有し、企業等の宣伝広告媒体として提供される、紙を主要材料とした印刷加工製品。
【０００２】
【従来の技術】
通常カレンダーとは、片面又は両面に年月日を表示した複数葉の紙片等とこれに表紙，台紙，綴具，吊下具，収納具等を付加した製作物である。
年月日の表示形態で日表（日捲り），月表，年表等に呼称される。
一般的にはカレンダーとは月表と呼称される年月日表示が単月又は複数月毎に施された１２葉又は６葉（若しくは４葉、３葉）の表示体（紙片等）によって構成されたものをさす。
月表は使用形態で鑑賞用（美術芸能的な絵画像を配し、室内の装飾・画像鑑賞に供する）と実務用（七曜月日数字のみを表示し、日数字に近接して書込み用余白部を設け予定実績管理等に供する。所謂玉カレンダー）とその折衷型の３形式に大別される。また、掲示方法の形態で壁掛（吊下げ、貼付け）型、卓上型（自立用冶具が付加される）に大別できる。おのずと壁掛け型は大判寸法であり、卓上型は小型となるのが通例である。
【０００３】
【考案が解決しようとする課題】
暦（カレンダー）は企業団体の広告宣伝用季節配布物として普遍的な位置付けを有し、多様な形態内容が開発され普及してきた。印刷・加工技術の発達に伴い、高品質で安価なカレンダーが大量に供給されるに至っているが、形状・内容の類型化したものが氾濫し、多くは使われずして廃棄されているのが現状である。実用本位のカレンダーは根強く使われているが、内容形態は伝統的に規格化されたものが多く、汎用性の広いものは大量に安価に供給・使用されている。又、使用者の産業・職業・趣味等の専門領域に特化した必要な暦情報を付加した内容に編集企画されたものもある。いずれにしても提供者と使用者は緊密で継続的な関係にあり、満足されており、同類のものを提供しても代替使用されることは難しい。
片や、装飾・鑑賞用としてのカレンダーにおいては、高額な企画創作費を要するが、従来品を凌駕するような斬新かつ高品質なものを創作するにはさらに膨大な費用がかかる。優れた従来品と同程度の形態内容では、他社の提供品に置き替わることは至難である。掲示（置き）場所にも限りがあり、多くは使われずして廃棄処分されるに至っている。
いずれにしても、従来形態の範囲で使用者が満足し継続的に使っているものに置き変わるようなものを企画製作することは至難な作業であり、費用効果的にも無意味なことである。
ここで、視点を変え、従来品に代替競合するのでなく、追加使用されるようなカレンダーの考案がなされ、妥当な費用で製造提供されることが切望されるのである。
【０００４】
【課題を解決する為の手段】
カレンダーに従来にない新しい機能を付加すること。
今日の消費生活者は日々の経済活動の際に生じる金銭の出し入れをきちんと管理しなければならない。ＯＡ・ＩＴ器機が普及しても個々のデータとしての日々の領収書やメモ紙片等は各個人や部門でしっかりと保管管理しておかねばなりません。この種のものは散逸・紛失しがちであり、家庭・職場において、様々な工夫考案がなされています。「これを収納しておく入れ物がほしい。一月毎に収納保管出来るような袋があれば大変重宝する。」ここに、「領収書類収納袋」の潜在的需要が存在します。
カレンダーの年月日表示部を領収書等の小紙片を収納可能な袋状にし、この使用場面・置き場所を考慮することにより、使われるカレンダーの考案提供が可能である。
袋形状の年月日表示物とこれを収納する箱形状物により構成されたカレンダーの考案である。
【０００５】
【考案の実施の形態】
年月日表示部１は角底形式の袋形状をなし、一月毎に印刷表示された１２枚の袋を一組とし、保管用具を兼ねた内箱２に納められ、輸送外装箱を兼ねた外箱３で覆われたカレンダーセット。
年月日表示された袋１は、単月分を取りだし、任意の場所に、立て置き，貼付け掲示，携行，帳簿綴じへの綴込み，開口部の封じ等が可能なように、穴１ｅ・筋罫線１ｆ等が施されている。
内外装の箱は、１２枚の袋を収納する冶具を兼ねた上部が開口した内箱２とこれに９０度交差した方向に開口部を持つ外箱３からなる。内箱２は袋を収納状態で年月日表示が見えるよう窓抜き加工２ａがなされている。また袋を収納状態で自立可能な底部の奥行き（厚み）を有し、傾斜自立も可能な支え具を裏面紙面部から作出可能なように切り込み加工２ｅを施しておく。外箱には新機能の理解を図るべく、使途例の図（図４，５，６）を配してある。
【０００６】
【考案の効果】
新しい使用機能を付加したカレンダーを提供することになり、従来型のカレンダーと競合せずに使用され、宣伝広告配布物としての効果を十分に発揮する。
従来試みられた使用後の廃物利用的考案とは異なった積極的な資源の多重使用型の考案としても評価される。
使用者に日常生活で生じる煩雑な日常管理事項の解決に供する。
【図面の簡単な説明】
【図１】全体構成図
【図２】年月日表示袋
【図３】収納用の箱
【図４】使用例図１
袋の使用法（収納、口部折閉じ、帳簿等への綴込み）を図示
【図５】使用例図２
カレンダーの掲示例　卓上置き状態を例示
【図６】使用例図３
カレンダーの掲示例　手近な壁面に袋を止置く状態の例示
【符号の説明】
１；年月日表示物　２；内箱（収納具）　３；外箱（外装箱）
１ａ，１ｂ；年月日表示面　１ｃ；糊代　１ｄ；折畳筋罫線
１ｅ；綴込み用穴　１ｆ；口閉じ用折筋　１ｇ；袋底裏面構造線
２ａ；窓空き部　２ｂ；糊代　２ｃ；差込部　２ｄ折込部
２ｅ；支脚具切り込み加工
３ａ；指かけ部　３ｂ；糊代　３ｃ；差込部　４折込部
４；領収書類等小紙片　５；帳簿類（バインダー）　５ａ；綴具
６；事務什器（机、書庫、物置台等）
７；家事什器（鋼製の冷蔵庫等の収納什器）　８；磁性体止め具
【図１】
0003098859.tif 000003
【図２】
0003098859.tif 000004
【図３】
0003098859.tif 000005
【図４】
0003098859.tif 000006
【図５】
0003098859.tif 000007
【図６】
0003098859.tif 000008
【手続補正書】
【提出日】平成15年7月24日(2003.7.24)
【手続補正１】
【補正対象書類名】明細書
【補正対象項目名】実用新案登録請求の範囲
【補正方法】変更
【補正の内容】
【実用新案登録請求の範囲】
【請求項１】
袋形状の年月日表示物とこれを収納保持する箱形状物とから構成されるカレンダーセット。
【請求項２】
年月日表示物としての袋は薄く折畳むことが可能な通称角底形式の紙製の袋で、この正面および背面部分に月毎のカレンダーを印刷表示し、１２枚を一組として一年分のカレンダーを構成したことを特徴とする請求項１のカレンダーセット。
【請求項３】
収納保持用の箱形状物は通称サック形式の板紙製の紙箱で、カレンダー表示を施された袋を収容し保持する冶具としての内箱とこれを被覆し、外形を形成するとともに郵配送用梱包箱を兼ねる外箱とで一対をなし、各々の封緘部の一方を開口部として成形されており、内外箱を９０度交差させて挿入・引出す構造をなす請求項１又は２のカレンダーセット。
【請求項４】
１）　カレンダー表示袋およびこの収納保持箱の素材はすべて紙とし、袋は引き裂き耐性に優れたクラフト系の洋紙を、箱は剛性を有した紙器用板紙または極薄ダンボールを使用し、金属・プラスチック等を併・混用しない。
２）　カレンダー表示した袋の寸法は洋紙寸法規格Ｂ５判程度、厚み幅は１ｃｍ程度を標準とし、収納保持用箱の内箱はこの紙袋を収容するに必要十分な縦横寸法を有し、厚み幅は充分な余裕を持たし５ｃｍ程度を標準とする。
３）　従って、外箱に収納されたカレンダーセット一個体の外観は厚さ５ｃｍ程度でＢ５判程度の上製本書籍状の形状寸法を呈し、その総重量は２００ｇ程度の軽量物となる。
以上の構成を有する請求項１，２または３記載のカレンダーセット。
【手続補正２】
【補正対象書類名】明細書
【補正対象項目名】符号の説明
【補正方法】変更
【補正の内容】
【符号の説明】
１；年月日表示物　２；内箱（収納具）　３；外箱（外装箱）
１ａ，１ｂ；カレンダー表示面　１ｃ；糊代　１ｄ；折畳筋罫線
１ｅ；綴込み用穴　１ｆ；口閉じ用折筋　１ｇ；袋底裏面構造線
２ａ；窓空き部　２ｂ；糊代　２ｃ；差込部　２ｄ；折込部
２ｅ；支脚具切り込み加工
３ａ；指かけ部　３ｂ；糊代　３ｃ；差込部　３ｄ；折込部
４；領収書類等小紙片　５；帳簿類（バインダー）　５ａ；綴具
６；事務什器（机、書庫、物置台等）
７；家事什器（鋼製の冷蔵庫等の収納什器）　８；磁性体止め具